(57)【要約】【課題】水噴射式織機のブロワを織布の水分吸引除去作業及び緯糸の吸引処理作業のいずれにも効率良く使用する。【解決手段】継目処理時に制御装置４は切換弁３５の切り換えを指令する。モータ３７は周波数変換回路４５に接続される。モータ３７が周波数変換回路４５から出力される高い周波数により比較的高速で回転され、ブロワ３８に強い吸引力を発生する。緯糸吸引装置３２は緯入れノズル２５の緯糸先端部Ｙ４を吸引する。電磁ソレノイド７及び緯糸把持器２６がＯＮされ、係止ピン８及び緯糸把持器２６が緯糸Ｙ１を解放するため、緯糸吸引装置３２は糸巻付け面９上の継目Ｙ３を含む緯糸Ｙ２を吸引する。緯糸Ｙ２の吸引完了後、係止ピン８及び緯糸把持器２６が緯糸Ｙ２を把持する。電熱線４８により切断された緯糸Ｙ２はブロワ３８に吸引処理され、継目処理が完了する。【選択図】図１
2010007215.tif 000002
【特許請求の範囲】
【請求項１】
複数の緯糸チーズが配設され、先に使用される緯糸チーズの緯糸終端と次に使用される緯糸チーズの緯糸始端とを繋ぎ、緯糸の継目の移動を検出すると織機を停止し、織布の水分の吸引除去に使用するブロワを緯糸の継目の吸引処理に使用する水噴射式織機において、
織機停止後の緯糸の継目処理時に、前記ブロワの吸引能力を製織運転中よりも高めることを特徴とする水噴射式織機における継目処理方法。
【請求項２】
複数の緯糸チーズと各緯糸チーズの緯糸終端及び緯糸始端の継目の移動を検出する継目センサーと緯入れノズルの先端側に配設された緯糸吸引装置と織布の水分吸引除去装置に連結するブロワと前記継目センサーからの検出信号に基づき前記ブロワの連結を前記水分除去装置から前記緯糸吸引装置に切り換える切換弁とを備えた水噴射式織機の継目処理装置において、
継目処理時における前記ブロワのモータ回転数を製織運転中よりも高くする回転数変更手段を前記ブロワのモータに接続したことを特徴とする水噴射式織機における継目処理装置。
【請求項３】
前記回転数変更手段は周波数変換回路であることを特徴とする請求項２に記載の水噴射式織機における継目処理装置。
【請求項４】
前記ブロワのモータは周波数変換回路を介して５０ヘルツ（Ｈｚ）商用電源に接続されることを特徴とする請求項３に記載の水噴射式織機における継目処理装置。
【請求項５】
前記継目センサーは制御装置に接続して緯糸の継目検出信号を出力し、前記周波数変換回路は前記制御装置に接続して織機停止後の回路切換信号を入力されることを特徴する請求項４に記載の水噴射式織機における継目処理装置。
【発明の詳細な説明】
【技術分野】
【０００１】
本願発明は、水噴射式織機において、複数の緯糸チーズ間の緯糸継目を経糸開口内に緯入れすることなく除去する継目処理方法及び装置に関するものである。
【背景技術】
【０００２】
水噴射式織機では、一般的に緯入れ側に複数の緯糸チーズを配置し、先に使用する緯糸チーズの緯糸終端と次に使用する緯糸チーズの緯糸始端とを繋いでおき、緯糸を連続して補充できるように構成している。しかし、製織する織布によっては緯糸の継目が緯入れされることにより織布品質が低下するため、例えば特許文献１に開示されるように、緯糸の継目を検出して水噴射式織機を停止し、継目を除去する継目処理装置が実用化されている。
【０００３】
特許文献１に開示された継目処理装置は次のように構成されている。継ぎ目センサ１３は、緯糸Ｙ１の終端と緯糸Ｙ２の始端とを繋ぎ合わせた継ぎ目Ｙ３を検出する。継ぎ目センサ１３によって得られる検出情報は、制御コンピュータＣに送られ、制御コンピュータＣは、水噴射式織機を停止する。
【０００４】
水噴射式織機の停止後、緯糸が緯糸把持器２７に把持され、かつ係止ピン１５１が糸巻き付け面１４２に係合した状態において、制御コンピュータＣは、織機駆動モータＭを所定量スロー逆転し、糸巻付管１４１より上流の緯糸が継ぎ目Ｙ３と共に糸巻き付け面１４２上に巻き付け貯留される。また、制御コンピュータＣは、ブロワ３４の切り換え弁３３を織布Ｗの水分を吸引除去するための給水筒３６に接続する第１の通路状態から緯糸Ｙ１を吸引除去するための吸引筒３１に接続する第２の通路状態へ切り換えるとともに、ブロワ３４を作動する。これにより吸引筒３１には吸引気流が生じ、緯入れ用ノズル２４の噴射口２４１から延出する緯糸先端部Ｙ１１が吸入される。
【０００５】
継ぎ目Ｙ３を含む緯糸が糸巻き付け面１４２上に巻き付けられた後、制御コンピュータＣは、緯糸把持器２７を励磁するとともに、電磁ソレノイド１５を励磁する。緯糸把持器２７は励磁により解放状態に切り換えられ、緯糸Ｙ１が解放される。また、電磁ソレノイド１５の励磁により係止ピン１５１が糸巻き付け面１４２から離脱し、糸巻き付け面１４２上の巻糸が解放される。従って、緯糸Ｙ１は、糸巻き付け面１４２上の緯糸の継ぎ目Ｙ３を含めて吸引筒３１により吸引され、除去される。
【０００６】
【特許文献１】特開２００５−１２０５１７号公報
【発明の開示】
【発明が解決しようとする課題】
【０００７】
水噴射式織機において、織布Ｗの水分を吸引する吸引能力は比較的小さい吸引力で対応可能である。しかし、継目処理のために必要な吸引能力は貯留されている緯糸Ｙ１の大きな引き出し抵抗に対応できる比較的大きな吸引力が必要である。従って、特許文献１に開示されているように、織布Ｗの水分除去能力を備えたブロワ３４を単純に緯糸Ｙ１の吸引除去用に切り換えただけでは、継目処理作業を迅速に、かつ確実に行なうことが困難な場合が生じる。
【０００８】
特に、地域によっては周波数５０ヘルツ（Ｈｚ）の商用電源によって水噴射式織機が製織運転されている。この５０ヘルツ（Ｈｚ）商用電源で駆動されるブロワ３４は織布Ｗの水分除去能力を十分に備えているが、周波数６０ヘルツ（Ｈｚ）の商用電源によってブロワ３４が駆動される場合と比較してブロワ３４のモータ回転数が低くなるので、緯糸Ｙ１の吸引能力としては不十分となり、継目処理作業を迅速に、かつ確実に行なうことが困難となる。このような問題を解決するために、ブロワ３４のモータ回転数を継目処理作業にも十分対応可能な程度に予め高めておく方法が考えられる。しかしこの方法では、水噴射式織機の製織運転中、大半を占める織布Ｗの水分除去作業に過剰なモータ回転数でブロワ３４を使用することになり、電力を無駄に消費することになる。
【０００９】
本願発明の目的は、水噴射式織機に使用されるブロワを織布の水分吸引除去作業及び緯糸の吸引処理作業のいずれにも効率良く使用することができるようにした継目処理方法及び装置を提供することにある。
【課題を解決するための手段】
【００１０】
請求項１に記載の本願発明は、複数の緯糸チーズが配設され、先に使用される緯糸チーズの緯糸終端と次に使用される緯糸チーズの緯糸始端とを繋ぎ、緯糸の継目の移動を検出すると織機を停止し、織布の水分の吸引除去に使用するブロワを緯糸の継目の吸引処理に使用する水噴射式織機において、織機停止後の緯糸の継目処理時に、前記ブロワの吸引能力を製織運転中よりも高めることを特徴とする。
【００１１】
請求項１記載の本願発明によれば、製織運転中に織布の水分の吸引除去作業に使用する標準のブロワを継目を含む緯糸の吸引処理作業に効率良く切り換え使用することができる。
【００１２】
請求項２に記載の本願発明は、複数の緯糸チーズと各緯糸チーズの緯糸終端及び緯糸始端の継目の移動を検出する継目センサーと緯入れノズルの先端側に配設された緯糸吸引装置と織布の水分吸引除去装置に連結するブロワと前記継目センサーからの検出信号に基づき前記ブロワの連結を前記水分除去装置から前記緯糸吸引装置に切り換える切換弁とを備えた水噴射式織機の継目処理装置において、継目処理時における前記ブロワのモータ回転数を製織運転中よりも高くする回転数変更手段を前記ブロワのモータに接続したことを特徴とする。
【００１３】
請求項２記載の本願発明によれば、ブロワのモータ回転数変更という簡単な手段により標準のブロワを継目を含む緯糸の吸引処理作業に効率良く切り換え使用することができ、無駄な電力消費を防ぐことができる。
【００１４】
請求項３に記載の本願発明は、前記回転数変更手段は周波数変換回路であることを特徴とするため、ブロワのモータ回転数変更手段を簡単に構成することができる。
【００１５】
請求項４に記載の本願発明は、前記ブロワのモータは周波数変換回路を介して５０ヘルツ（Ｈｚ）商用電源に接続されることを特徴とするため、周波数が５０ヘルツ（Ｈｚ）の商用電源を使用する地域において、水噴射式織機の消費電力の低減を図りながら継目処理を効率良く行なうことができる。
【００１６】
請求項５に記載の本願発明は、前記継目センサーは制御装置に接続して緯糸の継目検出信号を出力し、前記周波数変換回路は前記制御装置に接続して織機停止後の回路切換信号を入力されることを特徴とするため、水噴射式織機の継目処理を簡単な構造で実施することができる。
【発明の効果】
【００１７】
本願発明は、水噴射式織機に使用される織布の水分吸引除去作業用ブロワを用いて緯糸の吸引処理作業を効率良く行なうことができる
【発明を実施するための最良の形態】
【００１８】
（第１の実施形態）
以下、第１の実施形態を図１〜図３に基づいて説明する。
図１は２個の緯糸チーズ１、２を使用した例を示し、図では緯糸チーズ１の緯糸Ｙ１が緯入れに使用され、緯糸チーズ２が予備として配置されている。緯糸チーズ１の緯糸Ｙ１の終端と緯糸チーズ２の緯糸Ｙ２の始端とは継目Ｙ３によって繋ぎ合わされている。緯糸チーズ１、２の間には、継目Ｙ３よりも若干緯糸チーズ１寄りに継目センサー３が配設されている。継目センサー３は、継目Ｙ３の移動を検出する。継目センサー３による継目Ｙ３の検出信号は、コンピュータからなる制御装置４に出力される。
【００１９】
緯糸チーズ１から引き出された緯糸Ｙ１は、緯糸貯留装置５の糸巻付け管６に通されている。電磁ソレノイド７によって駆動される係止ピン８は、電磁ソレノイド７のＯＦＦ状態で糸巻付け面９に係合し、ＯＮ状態で糸巻付け面９から離脱する。係止ピン８が糸巻付け面９に係合しているとき、緯糸Ｙ１は糸巻付け管６の回転に伴い、糸巻付け面９に巻き付けられる。制御装置４は織機の回転角度を検出するロータリエンコーダ１０から出力される織機回転角度信号を得ており、電磁ソレノイド７のＯＮ・ＯＦＦは織機の回転角度信号に基づく制御装置４からの指令信号により制御される。
【００２０】
糸巻付け管６は一体に設けたタイミングプーリ１１と織機駆動モータ１２に連結した駆動軸１３に設けたタイミングプーリ１４との間に巻き掛けられたタイミングベルト１５によって駆動される。タイミングプーリ１１の側方にはタイミングプーリ１６を有する支軸１７及びタイミングプーリ１８を有する支軸１９が回転可能に配設されている。タイミングベルト１５はタイミングプーリ１６及びタイミングプーリ１８にも巻き掛けられている。支軸１７は、タイミングプーリ１１に接近する方向へ位置調整可能に設けられ、タイミングプーリ１６は、タイミングベルト１５の張力を調整することができる。
【００２１】
支軸１９には緯糸の把持ローラ２０が取り付けられており、把持ローラ２０の上方に接離可能な把持ローラ２１が配置されている。把持ローラ２１は支軸２２に揺動可能に設けたレバー２３に回転可能に取り付けられている。レバー２３は図示しないスプリングによって付勢され、把持ローラ２１を把持ローラ２０に圧接する。また、レバー２３には電磁ソレノイド２４が連結されている。電磁ソレノイド２４は制御装置４からの指令によりＯＮされ、レバー２３を上方へ回動して、把持ローラ２１を把持ローラ２０から離間させることができる。把持ローラ２１が把持ローラ２０に圧接された状態では、緯糸Ｙ１が糸巻付け管６側へ送り出される。
【００２２】
緯糸貯留装置５と緯入れノズル２５との間には電磁式の緯糸把持器２６が配設されている。緯糸把持器２６は制御装置４からの指令により、緯入れタイミングに同期してＯＮ・ＯＦＦされ、緯糸の把持及び解放を行なう。即ち、緯糸把持器２６がＯＦＦされると緯糸を把持し、ＯＮされると緯糸を解放する。
【００２３】
緯入れノズル２５はポンプ２７を介してタンク２８と連結されている。ポンプ２７は織機駆動モータ１２によって駆動され、緯入れタイミングに同期してタンク２８内の水を緯入れノズル２５に圧送する。緯入れノズル２５から噴射された圧力水は緯糸Ｙ１とともに経糸Ｔの開口内へ緯入れされ、緯糸Ｙ１は筬打ち後に図示しないカッターによって緯入れノズル２５から切断分離される。
【００２４】
ポンプ２７は補助給水管２９及び電磁開閉弁３０を介して例えば上水道等の給水源３１に連結されている。電磁開閉弁３０は制御装置４からのに指令により電磁ソレノイド３０ａがＯＮされると、給水源３１の水が電磁開閉弁３０、補助給水管２９及びポンプ２７を経由して緯入れノズル２５に送られる。電磁ソレノイド３０ａがＯＦＦされると、電磁開閉弁３０は給水源３１からの給水を停止する。
【００２５】
緯入れノズル２５の水噴射経路の側方には緯糸吸引装置３２が配設されている。緯糸吸引装置３２は水噴射経路とほぼ直交する方向に配置され、その先端は水噴射経路に向けて開口している。緯入れノズル２５の先端と緯糸吸引装置３２の先端とを連結する箱型の案内具３３は、水噴射式織機の運転時に緯糸Ｙ１を緯入れ方向に案内し、継目処理時に緯糸Ｙ１を緯糸吸引装置３２に案内する。
【００２６】
緯糸吸引装置３２の後端には、吸引管３４が連結されている。吸引管３４は三方弁型の切換弁３５及び吸引管３６を介してブロワ３８に連結されている。ブロワ３８はモータ３７により駆動される。また、ブロワ３８は吸引管３６、切換弁３５及び吸引管３９を介して織布Ｗの水分を吸引する水分吸引除去装置４０に連結されている。
【００２７】
切換弁３５は制御装置４の指令によって起動する切換モータ４１に連結されている。切換モータ４１がＯＮすると、切換弁３５はブロワ３８を水分吸引除去装置４０に連結する第１通路状態４２に切り換えられ、切換モータ４１がＯＦＦするとブロワ３８を緯糸吸引装置３２に連結する第２通路状態４３に切り換えられる。第１通路状態４２は水噴射式織機の通常運転中にブロワ３８と水分吸引除去装置４０とを連結し、ブロワ３８は織布巻き取り側へ移動する織布Ｗの水分を水分吸引除去装置４０によって順次吸引し、除去する。第２通路状態４３は継目処理時にブロワ３８と緯糸吸引装置３２とを連結し、ブロワ３８は緯入れノズル２５から突出している緯糸先端部Ｙ４を緯糸吸引装置３２内に吸引する。
【００２８】
ブロワ３８のモータ３７は周波数変換回路４５を介して周波数が５０Ｈｚ（ヘルツ）の商用電源４７に接続されている。周波数変換回路４５は本願発明におけるブロワのモータの回転数変更手段を構成し、本実施形態では周波数を５０Ｈｚ（ヘルツ）と６０Ｈｚ（ヘルツ）とに切り換えるように設定されている。
【００２９】
従って、周波数変換回路４５に接続されたモータ３７は出力周波数が６０Ｈｚ（ヘルツ）に切り換えられた場合には回転数が増加し、ブロワ３８の吸引能力を高めることができる。周波数変換回路４５は制御装置４からの指令により作動され、継目処理時に周波数変換回路４５の出力周波数が６０Ｈｚ（ヘルツ）に切り換えられ、水噴射式織機の製織運転時には周波数変換回路４５の出力周波数が５０Ｈｚ（ヘルツ）、即ち商用電源４７の周波数がそのままブロワ３８のモータ３７に供給される状態に切り換えられる。
【００３０】
なお、緯糸吸引装置３２には吸引気流の通路とほぼ直交するように電熱線４８が配設されている。電熱線４８は制御装置４の指令によってＯＮされる給電回路４９に接続して加熱され、緯糸吸引装置３２に吸引された緯糸Ｙ１を切断することができる。また、緯糸吸引装置３２は電熱線４８を備えるため、例えばセラミックス等の耐熱性及び絶縁性を有する材料で形成されている。
【００３１】
以上のように構成された第１の実施形態の作用を図３のタイミングチャートを参照して以下に説明する。
水噴射式織機の製織運転中、緯糸チーズ１から引き出された緯糸Ｙ１は把持ローラ２０、２１によって送り出され、糸巻付け管６によって糸巻付け面９上に巻き付け、貯留される。緯入れタイミングにおいて、制御装置４の指令により電磁ソレノイド７及び緯糸把持器２６がＯＮ状態になり、係止ピン８及び緯糸把持器２６は緯糸Ｙを解放する。従って、緯糸Ｙは緯入れノズル２５から噴射される圧力水によって経糸Ｔの開口内へ緯入れされる。緯入れ終了タイミングでは、電磁ソレノイド７及び緯糸把持器２６がＯＦＦ状態になり、係止ピン８及び緯糸把持器２６は緯糸Ｙを把持する。
【００３２】
一方、切換モータ４１がＯＦＦ状態にあるため、切換弁３５は第１通路状態４２に維持され、ブロワ３８が水分吸引除去装置４０と接続されている。また、周波数変換回路４５の出力周波数が５０Ｈｚ（ヘルツ）の状態にあるため、ブロワ３８のモータ３７は周波数５０Ｈｚ（ヘルツ）で駆動されている。従って、モータ３７は比較的低い回転数で駆動され、ブロワ３８は織布Ｗの水分を吸引除去するために充分な吸引能力で運転されている。
【００３３】
緯糸チーズ１の緯糸Ｙ１が消尽し、緯糸チーズ２の緯糸Ｙ２の使用が開始されると、継目Ｙ３が移動するため、継目センサー３が継目Ｙ３の検出信号を出力する。制御装置４は継目Ｙ３の検出信号が入力されると、水噴射式織機及びモータ３７の停止信号を出力する。また、通常は織機停止に伴って電磁ソレノイド７及び緯糸把持器２６はＯＮ状態（緯糸解放状態）にされるが、継目Ｙ３の検出信号が入力されたときには、電磁ソレノイド７及び緯糸把持器２６はＯＦＦ状態に維持される。従って、緯糸Ｙ１の把持状態が継続されるとともにブロワ３８がＯＦＦ状態になり、織機駆動モータ１２は例えば織機回転角度１８０°で停止する。
【００３４】
水噴射式織機が停止すると、制御装置４は継目処理のための各種指令を発信する。即ち、制御装置４は水噴射式織機に電磁ソレノイド２４のＯＮ信号を出力する。即ち、電磁ソレノイド２４がＯＮにされて把持ローラ２１を持ち上げ、緯糸Ｙ１を解放する。また、制御装置４ではタイマーにより一定時間後に電磁ソレノイド７及び緯糸把持器２６に対してＯＮ信号を出力するように設定される。また、制御装置４は切換モータ４１にＯＮ信号を出力するとともに、周波数変換回路４５の出力周波数を６０Ｈｚ（ヘルツ）に切り換え、モータ３７の起動を指令する。
【００３５】
従って、切換弁３５が第２通路状態４３に切り換えられるとともにモータ３７には周波数変換回路４５から６０Ｈｚ（ヘルツ）の出力が供給される（図２参照）。モータ３７は周波数が６０Ｈｚ（ヘルツ）の出力により比較的高い回転数で駆動されるため、ブロワ３８は水噴射式織機の製織運転中よりも高い吸引能力を有し、緯糸吸引装置３２に強い吸引力を発生させることができる。緯糸吸引装置３２は案内具３３の補助により緯入れノズル２５の先端から突出している緯糸先端部Ｙ４を吸引し、待機する。糸巻付け面９上に巻き付けられた継目Ｙ３を含む緯糸Ｙ２が吸引除去されるための所定時間経過後、電磁ソレノイド７及び緯糸把持器２６がＯＦＦとされて緯糸Ｙ２が把持され、切換モータ４１がＯＦＦされて切換弁３５が第１通路状態４２に切り換えられる。
【００３６】
その後、制御装置４は水噴射式織機に所定角度の逆転指令を出力する。水噴射式織機の逆転の間に緯糸Ｙ２が糸巻付け面９上に巻き付けられる。所定角度の逆転が完了して織機が停止すると、制御装置４は、切換モータ４１を再びＯＮ状態とするとともに、電磁ソレノイド７及び緯糸把持器２６にＯＮ信号を出力するため、係止ピン８及び緯糸把持器２６が緯糸Ｙ１を解放する。なお、電磁ソレノイド２４はＯＦＦにされて把持ローラ２１を押し下げ、緯糸Ｙ２を把持ローラ２０、２１間に把持する。従って、緯糸吸引装置３２は糸巻付け面９上の緯糸Ｙ２を全て吸引する。なお、二回目の緯糸Ｙ２の吸引は、織機停止時に継目Ｙ３が糸巻付け面９よりも上流側にある場合でも確実に継目Ｙ３を排除するために行われる。緯糸Ｙ２の吸引が完了した時点で電磁ソレノイド７及び緯糸把持器２６がＯＦＦとなり、緯糸Ｙ２を把持する。
【００３７】
緯糸Ｙ２の吸引が終了すると、制御装置４は給電回路４９にＯＮ信号を出力し、電熱線４８を一定時間加熱するため、緯糸吸引装置３２内の緯糸Ｙ２が切断され、ブロワ３８に吸引処理される。緯糸Ｙ２の切断後、切換モータ４１がＯＦＦ状態にされ、切換弁３５が第１通路状態４２に切り換えられる。この一連の動作により継目処理は完了する。継目処理が完了すると、織機の再起動が行なわれる。
【００３８】
本願発明は、前記した各実施形態の構成に限定されるものではなく本願発明の趣旨の範囲内で種々の変更が可能であり、次のように実施することができる。
【００３９】
（１）緯糸チーズは３個以上の複数個を配置して緯入れに備えることができる。
（２）第１の実施形態では周波数が５０Ｈｚ（ヘルツ）の商用電源を使用する地域の例を示したが、周波数が６０Ｈｚ（ヘルツ）の商用電源を使用する地域においても本願発明を実施することができる。この場合は継目処理時におけるブロワ３８の吸引能力をさらに強力なものとすることができ、継目処理作業をより迅速かつ確実に行なうことができる。
（３）ブロワ３８のモータ３７に対する回転数変更手段は変圧器等の電圧変換回路を使用することができる。
（４）ブロワ３８のモータ３７に対する回転数変更手段はモータ３７の極数変換による速度制御装置に変更することができる。
（５）出力周波数を変更可能な周波数変換回路４５を用いる代わりに、出力周波数が商用電源よりも高い周波数に固定された周波数変換回路を介して商用電源とブロワ３８のモータ３７とを接続する吸引力増強回路と、この吸引力増強回路と並列に商用電源とブロワ３８のモータ３７とを直接接続する通常回路とを設け、回路切換器により吸引力増強回路と通常回路とを切り換えるようにすることもできる。
（６）ブロワのモータ回転数増大によってブロワの吸引能力を高めるのに替えて、ファンの羽根角度が可変である吸引能力可変ブロワを用いたり、通常のブロワに加えて継目処理時のみ作動する補助ブロワを設けるようにしてもよい。
【図面の簡単な説明】
【００４０】
【図１】水噴射式織機の継目処理装置を示す概略図である。
【図２】継目処理作業時を示す概略図である。
【図３】継目処理作業のタイミングチャートである。
【符号の説明】
【００４１】
１、２  緯糸チーズ
３    継目センサー
４    制御装置
５    緯糸貯留装置
６    糸巻付け管
７、２４、３０ａ  電磁ソレノイド
８    係止ピン
９    糸巻付け面
１２  織機駆動モータ
２５  緯入れノズル
２６  緯糸把持器
２７  ポンプ
３０  電磁開閉弁
３１  給水源
３２  緯糸吸引装置
３４  吸引管
３５  切換弁
３７  モータ
３８  ブロワ
４０  水分吸引除去装置
４１  切換モータ
４２  第１通路状態
４３  第２通路状態
４５  回転数変更手段としての周波数変換回路
４７  商用電源
【図１】
2010007215.tif 000003
【図２】
2010007215.tif 000004
【図３】
2010007215.tif 000005